Podtech/llm-jp-corpus-v4-ja_patent huggingface dataset:
(57)【要約】【課題】本発明は、容易に作業できるブレーカ固定の構造を提供することを目的としている。【解決手段】本発明に係るブレーカ固定の構造は、取り付け板にブレーカを係止する板ばねを挟持させる構造とし、取り付け板は一端にはブレーカ固定片を形成し、他端には、板ばね係止穴を設けると共に、板ばねには、板ばね係止穴に差し込まれる差し込み部と、差し込み部と共に板ばねを取り付け板に挟持させるための挟持部とを形成し、取り付け板と板ばねとにはそれぞれ互いに嵌合する嵌合片とを設けたことを特徴とする。【選択図】図２
2009189134.tif 000002
【特許請求の範囲】
【請求項１】
分電盤を構成するブレーカ固定の構造であって、取り付け板に前記ブレーカを係止する板ばねを挟持させる構造とし、前記取り付け板は一端にはブレーカ固定片を形成し、他端には、板ばね係止穴を設けると共に、前記板ばねには、前記板ばね係止穴に差し込まれる差し込み部と、該差し込み部と共に前記板ばねを前記取り付け板に挟持させるための挟持部とを形成し、前記取り付け板と板ばねとにはそれぞれ互いに嵌合する嵌合片とを設けたことを特徴とするブレーカ固定の構造。
【発明の詳細な説明】
【技術分野】
【０００１】
本発明は、分電盤を構成するブレーカ固定の構造に関するものである。
【背景技術】
【０００２】
従来、ブレーカの取り付け構造は、図３に示すように、ブレーカを係止する板ばね３１を取り付け板３２にかしめて取り付けていた。板ばね３１は金属製、取り付け板３２は樹脂製で製作されることが多く、かしめ用の機械や工具を用いて板ばね３１を取り付け板３２に固定していた。取り付け板には係合部３３が設けられ、ブレーカに設けられた係合穴に係合部３３を係合させ、ブレーカの反対側端部からは板ばね３１の付勢によってブレーカを固定していた。
【特許文献１】実開昭５７−９５７５０号公報
【発明の開示】
【発明が解決しようとする課題】
【０００３】
上記従来のブレーカの取り付け構造では、板ばね３１を取り付け板３２にかしめて取り付けるため、かしめ用の機械や工具を用いなくてはならず、作業性がわるく、組立作業の効率が悪かった。また、分電盤が不用となった場合、それぞれの材質に分別してリサイクルしたいが、板ばね３１と取り付け板３２がかしめられており分別が困難であった。
【課題を解決するための手段】
【０００４】
そこで本発明は簡単な構造で、容易に作業できるブレーカ固定の構造を提供することを目的とし、その構造は、取り付け板にブレーカを係止する板ばねを挟持させる構造とし、取り付け板は一端にはブレーカ固定片を形成し、他端には、板ばね係止穴を設けると共に、板ばねには、板ばね係止穴に差し込まれる差し込み部と、差し込み部と共に板ばねを取り付け板に挟持させるための挟持部とを形成し、取り付け板と板ばねとにはそれぞれ互いに嵌合する嵌合片とを設けたことを特徴とする。
【発明の効果】
【０００５】
本発明に係るブレーカ固定の構造は、取り付け板にブレーカを係止する板ばねを挟持させる構造とし、取り付け板は一端にはブレーカ固定片を形成し、他端には、板ばね係止穴を設けると共に、板ばねには、板ばね係止穴に差し込まれる差し込み部と、差し込み部と共に板ばねを取り付け板に挟持させるための挟持部とを形成し、取り付け板と板ばねとにはそれぞれ互いに嵌合する嵌合片とを設けたため、取り付けに特別な設備も必要なく、設備投資なく製作できるので安価に提供できる。また、容易にばねの取り付けが可能であり、作業性が向上する。パネルと板ばねの分別が簡単で、分電盤のリニューアル等でブレーカが不用になった場合にも、リサイクルしやすい。
【発明を実施するための最良の形態】
【０００６】
本発明に係るブレーカの取り付け構造を図１〜図２の添付図面に基いて説明する。
【０００７】
本発明は、ブレーカ１を分電盤に組み込む際の分電盤の基台への取り付け構造である。分電盤の基台には、取り付け板２を配列し、取り付け板２にブレーカ１を固定することで分電盤にブレーカ１が取り付けられる。
【０００８】
取り付け板２は長手方向端部を断面略コ字状に折曲形成し、ブレーカ取り付け面３と基台取り付け面４とを構成する。基台取り付け面４は、分電盤の基台に取り付けるための取り付け穴５を設ける。ブレーカ取り付け面３の一方の端部は、切起こしてブレーカ固定片６を形成する。他端には、板ばね係止穴７を設ける。
【０００９】
取り付け板２の板ばね係止穴７に係止される板ばね８は、取り付け板２のブレーカ固定片６とでブレーカ１を固定するものである。形状は、ブレーカ固定部９と取り付け板取り付け部１０とから成る。ブレーカ固定部９は、取り付けられるブレーカ１側に付勢されており、取り付け板２のブレーカ固定片６とブレーカ１側面を挟み込んで固定する。取り付け板取り付け部１０は、板ばね係止穴７に差し込まれる差し込み部１１と、この差し込み部１１と取り付け板２を挟み込む挟持部１２とを形成する。
【００１０】
板ばね８の差し込み部１１と取り付け板２には互いに対向する位置に嵌合片１３，１３を設ける。この板ばね８と取り付け板２との嵌合は、バーリング加工を施し、嵌合凸部１３と嵌合凹部１３とを形成する。板ばね８を取り付け板２に取り付けたときにバーリング加工した部分が互いに係合し、板ばね８は確実に取り付け板２に固定される。
【００１１】
取り付け板２に板ばね８を固定した状態で、ブレーカ１を取り付ける。ブレーカ１の側面に設けられている突起部１４をブレーカ固定片５に設けられた固定穴１５に嵌合させ、もう一端は、板ばね８を撓ませ嵌め込み、突起部１４を板ばね８に設けられた嵌合穴１６に合わせ、確実にブレーカ１を固定させる構造である。
【００１２】
板ばね８は金属製で取り付け板２が樹脂製である場合のように、部品それぞれの構成材料が異なる場合がある。分電盤が取り替えられ不用になった場合、これらは分別してリサイクルしたり廃棄されたりする。その場合、本発明のように取り付け板２と板ばね８は係合によって取り付けられるため、分別が簡単である。
【図面の簡単な説明】
【００１３】
【図１】本発明に係るブレーカ固定の構造の取り付け板を示す説明図である。
【図２】本発明に係るブレーカ固定の構造を示す説明図である。
【図３】従来のブレーカ固定の構造を示す説明図である。
【符号の説明】
【００１４】
１    ブレーカ
２    取り付け板
３    ブレーカ取り付け面
４    基台取り付け面
５    取り付け穴
６    ブレーカ固定片
７    板ばね係止穴
８    板ばね
９    ブレーカ固定部
１０  取り付け板取り付け部
１１  差し込み部
１２  挟持部
１３  嵌合片
１４  突起部
１５  固定穴
１６  嵌合穴
【図１】
2009189134.tif 000003
【図２】
2009189134.tif 000004
【図３】
2009189134.tif 000005
(57)【要約】【課題】  釣り仕掛けや穂先竿の破損を抑制しながら、釣り竿の携行時には穂先竿の先端カバーとしても使用できるものを釣り仕掛けに装備した釣り竿を提供する。【解決手段】  穂先竿１の釣り糸誘導用のトップガイド１Ａより繰り出される釣り仕掛けａに、リール４で巻き上げる際に、トップガイド１Ａに当接して仕掛けの巻き込み過ぎを抑制する弾性材製の受止体１２を装着してある。【選択図】        図１
2009189300.tif 000002
【特許請求の範囲】
【請求項１】
穂先竿の釣り糸誘導用のトップガイドより繰り出される釣り仕掛けに、リールで巻き上げる際に、前記トップガイドに当接して前記仕掛けの巻き込み過ぎを抑制する弾性材製の受止体を装着してある釣り竿。
【請求項２】
前記受止体を、軸線方向の一端に向けて拡径するラッパ状体に形成するとともに、ラッパ状の開孔部分を前記トップガイドに向かう状態で浮き止めを装着した部位より前記トップガイドに近い部位で前記釣り糸に外嵌装着してある請求項１記載の釣り竿。
【発明の詳細な説明】
【技術分野】
【０００１】
本発明は、釣り仕掛けをリールで巻き取り操作する釣り竿に関する。
【背景技術】
【０００２】
釣り仕掛けとしては、先端の釣り針の上方に、サルカンと浮き止めとの間に浮きを設けているもの等が使用される。
【特許文献１】特開２０００−３４２１４２号公報（段落〔００１８〕，図２）
【発明の開示】
【発明が解決しようとする課題】
【０００３】
魚の当りがあると、手元に魚を引き寄せて釣り上げる為に、仕掛けを巻き取る操作を行うが、魚を引き寄せることに集中し過ぎると、仕掛けを巻取り過ぎて、浮きやサルカンを穂先竿のトップガイドに強く打ち付けて、釣り仕掛けを破損させたり、穂先竿をも傷めることがあった。
【０００４】
本発明の目的は、釣り仕掛けや穂先竿の破損を抑制しながら、釣り竿の携行時には穂先竿の先端カバーとしても使用できるものを釣り仕掛けに装備した釣り竿を提供する点にある。
【課題を解決するための手段】
【０００５】
〔構成〕。
請求項１に係る発明の特徴構成は、穂先竿の釣り糸誘導用のトップガイドより繰り出される釣り仕掛けに、リールで巻き上げる際に、前記トップガイドに当接して前記仕掛けの巻き込み過ぎを抑制する弾性材製の受止体を装着してある点にあり、その作用効果は次ぎの通りである。
【０００６】
〔作用〕
つまり、釣り糸を巻き取る場合に、巻取り過ぎになる状態であっても、受止体がトップガイドに当接する。受止体が弾性体で形成されているので、受止体がトップガイドに衝突する際の当接衝撃力を穏やかに収縮して吸収するところから、釣り仕掛けや穂先竿に強い衝撃反力が作用しない。
【０００７】
〔効果〕
弾性材製の受止体を釣り仕掛けに追加するだけの改善によって、釣り仕掛けや穂先竿の保護を図ることができた。
【０００８】
〔構成〕
請求項２に係る発明の特徴構成は、上記第１の発明において、前記受止体を、軸線方向の一端に向けて拡径するラッパ状体に形成するとともに、ラッパ状の開孔部分を前記トップガイドに向かう状態で浮き止めを装着した部位より前記トップガイドに近い部位で前記釣り糸に外嵌装着してある点にあり、その作用効果は次ぎの通りである。
【０００９】
〔作用効果〕
釣り仕掛けの巻取り過ぎが起こりそうな状態になる場合であっても、受止体のラッパ状の開孔部分がトップガイドに被さっていき、前記したように、受止体が穏やかに当接する。これによって、前記したように、巻取り過ぎや穂先竿の破損が抑制される。
また、受止体を仕掛けから取り外した状態で、ラッパ状の開孔部分から穂先竿のトップガイド部分に被せて、受止体を穂先カバーとして機能させることができる。
【００１０】
【発明を実施するための最良の形態】
【００１１】
〔第1実施形態〕
釣り竿Ａ、釣り仕掛けａについて説明する。図１に示すように、釣り竿Ａは、トップガイド１Ａを装着して穂先竿１、釣り糸ガイドを装着した複数本の中竿２、リール４を装着する元竿３を備えている。一方、釣り仕掛けａは、リール４から繰り出された道糸５の先端に、上サルカン６、ワイヤ７を介して錘８、さらに、下サルカン９、下サルカン９の下方にハリス１０、釣り針１１を取り付けて、構成されている。
【００１２】
図１に示すように、穂先竿１のトップガイド１Ａ先端より繰り出されている釣り糸仕掛けａにおけるトップガイド１Ａと上サルカン６との間の位置に、受止体１２が装着してある。
受止体１２はゴム製の一体成型品であり、一端に向かってラッパ状に拡開する形状に形成されている。他端側においては徐々に窄まっていく喉部に形成してあり、その喉部の軸線位置に釣り糸を挿通する為の挿通口を形成してある。
したがって、ラッパ状の開孔部分から挿通口を介して、受止体１２を道糸５に外嵌してその受止体１２を装着する。
【００１３】
以上のような構成を採ることによって、図２に示すように、釣り仕掛けを巻き込み過ぎると、受止体１２がトップガイド１Ａに被さるとともに喉部が当接して巻き込み操作に抵抗が作用し、釣り人がそのことを認識して巻上げを停止する。
受止体１２としては、ＮＢＲ等のゴムやエラストマ、又は、軟質の樹脂が使用される。
【００１４】
〔第２実施形態〕
受止体１２が装着される釣り仕掛けａとしては、いずれのものにも限定されるものではないが、次のような釣り仕掛けａについて、使用してもよい。つまり、図３に示すように、浮き止め１３、しもり玉１４、浮動浮き１５、サルカン１６等を装備するものにおいて、浮き止め１３の上方に受止体１２を取り付ける。これによって、浮き止め１３が受止体１２の喉部で受止られ、仕掛けの巻き込みが回避される。
【００１５】
〔第３実施形態〕
図４に示すように、釣り竿Ａが並継竿、又は、インロー継竿である場合には、穂先竿１を他の竿と分離して収納することが可能であり、その場合に、図４に示すように、穂先竿１のトップガイド１Ａに受止体１２をラッパ状開孔部より被せることによって、受止体１２を穂先カバーとして使用できる。
【００１６】
〔他の実施形態〕
（１）上記実施形態のものは、並継竿、インロー継ぎ竿だけでなく、振り出し竿にも適用できる。また、釣り糸ガイドが竿体の外周面に装着してある外付けタイプのものだけなく中通し竿にも適用できる。
（２）受止体１２としては、ラッパ状に拡大するものではなく、一定の開孔径を備えた筒状体で開孔とは反対側に底部を設け、底部に釣り糸に外嵌する挿通孔を形成する筒状のものであってもよい。
【図面の簡単な説明】
【００１７】
【図１】釣り仕掛けに受止体を装着した状態を示す側面図
【図２】受止体が穂先竿の先端に被って、釣り仕掛けを受け止めた状態を示す側面図
【図３】異なる釣り仕掛けのもので浮き止めより上方側に受止体を装着した状態を示す側面図
【図４】並継竿の穂先竿の先端に受止体を穂先カバーとして取り付けた状態を示す縦断側面図
【符号の説明】
【００１８】
１              穂先竿
１Ａ            トップガイド
４              リールシート
１２              受止体
【図１】
2009189300.tif 000003
【図２】
2009189300.tif 000004
【図３】
2009189300.tif 000005
【図４】
2009189300.tif 000006
(57)【要約】【課題】本発明は、簡単な構造で、取り付け位置や大きさの限定を少なくしたセパレータの構造を提供することを目的としている。【解決手段】本発明に係るセパレータの構造は、セパレータ４には任意の位置で切り取り可能な分割スリット５を形成すると共に、分電盤に設けられた取り付け板には、固定片６を取り付け、セパレータ４には固定片６に係合可能である爪１１を形成し、取り付け位置や大きさを、分電盤に収納される機器に合わせて変更できることを特徴とする。【選択図】図１
2009189207.tif 000002
【特許請求の範囲】
【請求項１】
電気機器を取り付け板上に配列して構成される分電盤に用いられ、前記電気機器の種類によって盤内を分類する場合に用いられるセパレータの構造であって、該セパレータには任意の位置で切り取り可能な分割スリットを形成すると共に、分電盤に設けられた取り付け板には、固定片を取り付け、前記セパレータには該固定片に係合可能である係合凸部を形成することを特徴とするセパレータの構造。
【発明の詳細な説明】
【技術分野】
【０００１】
本発明は、電気機器を取り付け板上に配列して構成される分電盤に用いられ、電気機器の種類によって盤内を分類する場合に用いられるセパレータの構造に関するものである。
【背景技術】
【０００２】
分電盤内部で、配列された機器を分類したりする際に用いられるセパレータは、固定部と分割部とから形成されており、固定部を取り付け板にねじ止め等により固定していた。
【０００３】
特許文献１に記載のセパレータは、異なる高さに取着部を設け、セパレータの取り付けられる取付板の厚さにより取着部を選択して、おなじセパレータで厚い取付板と薄い取付板とに取付可能なものがある。
【０００４】
特許文献２に記載のセパレータは、長手方向に対して直角方向に切断線を設けたもので、長手方向を容易に切断してセパレータの長さを変更できるものである。
【特許文献１】特開平９−６５５４３号公報
【特許文献２】特開２００１−９５１２８号公報
【発明の開示】
【発明が解決しようとする課題】
【０００５】
しかしながら、上記従来の技術におけるセパレータでは、セパレータの大きさの変更は、長手方向に対して直角方向にのみ切断することで行えるが、限定されていて、分電盤の設置現場での変更は困難であった。また、取り付け板への固定場所は限定されていて、分電盤の設置現場での変更は困難であった。
【課題を解決するための手段】
【０００６】
そこで本発明は、簡単な構造で、取り付け位置や大きさの限定を少なくしたセパレータの構造を提供することを目的とし、その構造は、セパレータには任意の位置で切り取り可能な分割スリットを形成すると共に、分電盤に設けられた取り付け板には、固定片を取り付け、セパレータには固定片に係合可能である係合凸部を形成することを特徴とする。
【発明の効果】
【０００７】
本発明に係るセパレータの構造は、セパレータには任意の位置で切り取り可能な分割スリットを形成すると共に、分電盤に設けられた取り付け板には、固定片を取り付け、セパレータには固定片に係合可能である係合凸部を形成するため、分電盤の設置現場で容易にセパレータの大きさの変更ができる。また、固定片により分電盤へ取り付けられるため、取り付け位置の制限が小さい。また、固定片とセパレータとが別形成されているため、分電盤が不用になった際、リサイクルが容易である。
【発明を実施するための最良の形態】
【０００８】
本発明に係るセパレータの構造の実施例を図１〜図３の添付図面に基いて説明する。
【０００９】
主幹ブレーカ１や分岐ブレーカ２等の電気機器を取り付け板３に配列し、これらをキャビネットに収めて分電盤が構成される。取り付け板３に配列された機器類を分類したり、絶縁したりするためにセパレータ４を用いる。
【００１０】
セパレータ４には任意の位置で切り取り可能である分割スリット５を、セパレータ４の長手方向に対して直交する方向及びセパレータ４の長手方向に対して平行に形成している。このため、セパレータ４の取り付け位置のスペースを考慮してセパレータ４の大きさを自在に変更できる。
【００１１】
取り付け板３には固定片６を取り付ける。固定片６は取り付け板３上の任意の位置に取り付け可能である。固定片６は固定部７と挟持部８とから構成され、固定部７は取り付け板３に固定され、挟持部８にはセパレータ４を挟持させる。挟持部８にはセパレータ４を挟み込む溝９を形成し、さらに確実にセパレータ４を挟持可能であるように、溝９に係合部１０を設ける。セパレータ４側にも、挟持部８に設けられた係合部１０と対向する形状に係合凸部１１を形成する。
【００１２】
固定片６を取り付け板３に取り付け、固定片６の溝９にセパレータ４を差し込み、係合部１０と係合凸部１１とを係合させることでセパレータ４を確実に固定片６に固定させる。
【００１３】
セパレータ４に設けられる係合凸部１１については、セパレータ４を分割スリット５で切り取って使用する場合、切り取られた部分もセパレータ４として使用することも考慮して、分割スリット５が形成される。
【００１４】
固定片６は、図のような形状に限定されるものではなく、片側端部は、袋状に係止部を設け、セパレータを端部で固定することとし、セパレータの滑落防止を可能とすることもできる。
【図面の簡単な説明】
【００１５】
【図１】本発明に係るセパレータの構造を示す斜視図である。
【図２】図１における固定片を示す斜視図である。
【図３】分電盤に組み込んだ状態のセパレータを示す正面図である。
【符号の説明】
【００１６】
１    主幹ブレーカ
２    分岐ブレーカ
３    取り付け板
４    セパレータ
５    分割スリット
６    固定片
７    固定部
８    挟持部
９    溝
１０  係合部
１１  係合凸部
【図１】
2009189207.tif 000003
【図２】
2009189207.tif 000004
【図３】
2009189207.tif 000005
(57)【要約】【課題】端が輪の方に向いたちちわをだれでもが簡単につくれる器具を提供する【解決手段】筒３と２種類の針１，２  の出し入れにより、端が輪の方を向いた、ちちわ作成ができることを特徴とする【選択図】図１
2009189359.tif 000002
【特許請求の範囲】
【請求項１】
フックのついた針と糸を通す穴のある針を、先端が特殊な形をした筒の中に入れ、それぞれハンドルで出し入れできるようにして、端が輪の方を向いたちちわを作れるようにした器具。
【発明の詳細な説明】
【技術分野】
【００１】この発明は、つりのしかけで使う、先端が輪の方を向いたちちわを作成する道具である。
【背景技術】
【００２】先端が輪の方を向いたちちわを作るには、細かい作業のため、従来はせいぜい爪楊枝を使う手作業であった。そのため作る途中で失敗することも多く、短時間で作成するには熟練者でないとできなかった。
【発明の開示】
【発明が解決しようとする課題】
【００３】先端が輪の方を向いたちちわを簡単に作れるようにすること。
【課題を解決するための手段】
【００４】先が削られた筒に、先がフック状の針と先が糸を通す穴の付いた針と役割の違う２種類の針を入れ、片手で持てる小さな台にこの筒をとりつけ、針が筒から出し入れできるようにハンドルをつける。またラインを仮固定する部分を台の２箇所に作る。この発明を使って、先端が輪の方を向いたちちわを作る各ステップがスムーズにできるようにした。
本発明は次のような一連のステップで使われる
第一ステップ  多重輪を作る（普通は２周でよい）。
ラインを筒の周りに２回巻きつけることでできる。
次の作業の準備としてさらに筒の先端に出した２本の針に巻いて、台にライン両端を仮固定しておく。
第二ステップ  多重輪の中にラインを引き込む。
フック針を引き込むことでできる。次の作業のため糸通し針も引っ込める。また先端ラインを開放し、筒から伸びている形にしておく。
第三ステップ  先端ラインに反対ラインを巻きつける。
先端と反対側のラインを使って、筒から出ている先端ラインと筒の尖端の角とをまとめて巻きつけることでできる。反対ラインは巻きつけたあと仮固定しておく。
第四ステップ  ライン先端を多重輪の中に入れる
糸通し針を筒から出し、ライン先端を針穴の中に入れ、糸通し針を筒の中に引きこむことでできる。
第五ステップ  器具から開放する
反対ラインの仮固定を開放し、少し張る。この状態で筒の外側に巻きついたラインを開放、さらにハンドルを押し出し２本の針を筒から出してラインを開放する。
これで先端部が輪の方を向いたちちわが、ほぼ完成する。
（後は輪の大きさを調整し、ラインの端をカットするだけ）
【発明の効果】
【００５】先端が輪の方を向いたちちわが、誰でもできる作業で能率的にまたほとんど失敗することなく完成できるようになった
【発明を実施するための最良の形態】
【００６】フック針（１）と糸通し針（２）を先端を加工した筒（３）の中に入れ、（１）、（２）両方とも端のつまめる長さの位置で直角に曲げ、筒からの出し入れ用ハンドルとする。針先（フックや穴輪）がスムーズに筒に出し入れできるよう調整しておく。四角部（４）はライン仮固定のための切り込みをつける。また筒を差し込むために錐を貫通させておく。固めの薄い板のハンドル区分け板（５）を差し込むために三角部（６）、下半分部（７）に切り込みをつけておく。（３）を（４）に突っ込む。（６）を（４）にくっつけ（５）を入れ、ハンドルを左右にわけておく。そのうえに（７）をかぶせ、（４）および（６）の下部でくっつける。ハンドルが引けるように調整する。フックのかぎ先が筒先端の角に向いた状態にしておく。
【図面の簡単な説明】
【００７】
【図１】本発明の斜面図である
【図２】本発明のパーツである
【符号の説明】
【００８】１  フック針    ２  糸通し針    ３  筒    ４  四角部    ５  ハンドル区分け板    ６  三角部    ７  下半分部
【図１】
2009189359.tif 000003
【図２】
2009189359.tif 000004
(57)【要約】      （修正有）【課題】アウトドアやキャンプを夜間照明等をつけて催す時，その照明等に寄ってくる蚊や蝿、蛾等の虫に悩まされる事が多い。特に身体に纏わりついたり、飲み物や食事等に寄ってきて，その度に追い払うのに苦労する。【解決手段】寄ってくる蚊や蝿、蛾等の虫を追い払うのではなく、ラケット型捕獲タモ網を使って桟と桟の空間から捕獲退治しようとするのである。捕獲した蚊や蝿、蛾等の虫を、生きたまま逆逃させない為に、上下左右の桟の裏面に、細紐（ナイロン等）を暖簾状に取り付け、振り回した時、その空気流の動きで、上下左右の暖簾状の細紐は真横にし、蚊や蝿、蛾等の虫をタモの中に捕獲し、振り回しを止めると、上下になった桟の細紐が、桟と桟の空間に自然に暖簾状に垂れ下がり、ラケットを上下左右どのように立てかけても、蚊や蝿、蛾等の虫は、その暖簾状の細紐を掻き分けて外に逆逃させない。【選択図】図２
2009189358.tif 000002
【特許請求の範囲】
【請求項１】
蚊や蝿、蛾等ラケット型捕獲タモ網
アウトドアやキャンブ等で、夜間に照明等を利用して、酒やビールを飲みながら花火や飲食やカラオケ大会等を催している時、蚊や蝿、蛾等が身の回りや食べ物等に寄ってきて不愉快な思いをすることが多い。その蚊や蝿、蛾等を、ラケット型捕獲タモ網を振り回して捕獲退治しようとするものである。。
【発明の詳細な説明】
【技術分野】
【０００１】  よく夕暮れ時から夜間にかけ、アウトドアやキャンプなどで花火を打ち上げたり、酒やビールを片手に飲食等で盛り上がっているのを、体験したり見かけたりする。
【背景技術】
【０００２】  従来は、アウトドアやキャンプを催すために、夜間は照明等を利用して、花火や飲食やカラオケ大会が行われる。しかし、その照明や飲食等に寄ってくる蚊や蝿、蛾等の虫に悩まされることが多い。
【発明の開示】
【発明が解決しようとする課題】
【０００３】  本発明は、その夜間のアウトドアやキャンプを催すための照明に寄ってくる蚊や蝿蛾等の虫を、ラケット型捕獲タモ網を、その蚊や蝿、蛾等にめがけて振り回すことによって、ラケットの桟と桟の空間から、裏側のタモ網の中に捕獲退治しようとするものである。
【課題を解決するための手段】
【０００４】  本発明は、その捕獲タモ網を振り回して、せっかく捕獲した蚊や蝿、蛾等の虫を、ラケットに張ってある捕獲のための桟と桟の空間から、生きたまま外に逆逃さないように上下左右の桟の裏面（裏側）に、細紐（ナイロン等）を暖簾状に取り付け、振り回した時、その振り回しの空気流の動きで、上下左右の暖簾状の細紐は真横になり、蚊や蝿、蛾等の虫をタモ網の中に捕獲し、振り回しを止めると、上下になった桟と桟の空間に細紐が自然に暖簾状に垂れ下がり、ラケットを上下左右どのように立てかけても、蚊や蝿、蛾等の虫はその暖簾状の細紐を掻き分けて逆逃することは出来ない。
【発明の効果】
【０００５】  本発明は、その夜間のアウトドアやキャンプを催すための照明に寄ってくる蚊や蝿蛾等の虫を、タモ網の中に捕獲退治したならば、不愉快な虫等に悩まされず楽しい一時を過ごす事が出来る。
【発明を実施するための最良の形態】
【０００６】  そして、ラケットの桟の太さ（５ａ．５Ｂ）は、裏面の桟の中心に細糸を暖簾状に取り付けるので、それなりの太さ（３ｍｍ〜５ｍｍ）が必要となる。材質はナイロン製のような丈夫な物が良く、桟と桟とが絶えずピンと張ってあり、振り回したときに桟が折れてしまったり、曲がってしまうような材質では虫の捕獲に用をたさないと思われる。桟と桟（虫等の通過）の間隔は、蛾のような大きな虫を通過させるために、１５ｍｍ〜２０ｍｍ程度が良いと思われる。又、振り回したとき、桟に虫が直接当たり、死んだり、羽が取れたりして舞逃できない虫もかなりあると思われる。
【実施例】
【０００７】そして、図面［図１］（Ａ）Ａ−１に示すように、２の桟と桟の空間から、蚊や蝿、蛾等をめがけてラケットを振り回すことにより、［図２］１０のタモ網の中に捕獲するものである。【０００８】そして、捕獲退治した虫を取り出すために、タモの末端に開閉できるチャックのようなものを取り付ければよい。
【図面の簡単な説明】
【０００９】  以下この発明の構造を［図１］［図２］で説明する。【００１０】
【図１】（Ａ）  Ａ−１  ラケット型捕獲タモ網表面（表側）図  Ａ−２  ラケット型捕獲タモ網裏面（裏側タモ網  １０  取り付け前）図  Ａ−３  Ａ−２の詳細  ４○印Ａ−４  拡大図  Ａ−４  Ａ−３の詳細拡大図
【図２】（Ｂ）  Ｂ−１  Ａ−２断面（裏側タモ網  １０  取り付け後）図  Ｂ−２  Ｂ−１  振り回し時図
【符号の説明】
【００１１】  １      枠
２      桟と桟の空間
３      ラケット握り部分
４      ○印Ａ−４詳細拡大
５ａ    縦桟
５ｂ    横桟
６      横桟暖簾状細紐固定部
７      横桟暖簾状細紐垂れ下がり
８      縦桟暖簾状細紐固定部
９      縦桟細紐垂れ下がり
９−１  ９の暖簾状細紐空気流動時横流れ（振り回し時）
１０      タモ網
１１      チャック
【図１】
2009189358.tif 000003
【図２】
2009189358.tif 000004
(57)【要約】【課題】魚釣りで、釣針かかった魚を手にすることなく簡単にはずす魚釣り用針外しを提供する。【解決手段】魚釣り用針外しの取っ手の中心より、直線状に伸びた軸の先端を二つ折りにし、弓状に湾曲した突起を設け、返り軸で隙間をかえしながら、１回転の楕円形状した輪を設け、輪の頂点が１回転の楕円形状した輪より少し上の、１／２回転の楕円形状した輪を設け、釣針にかかった魚を１／２回転の楕円形状した輪で押して、針から外すことを特徴とする魚釣り用針外し。【選択図】図７
2009189357.tif 000002
【特許請求の範囲】
【請求項１】
魚釣り用針外しの取っ手の中心より、直線状に伸びた軸の先端を二つ折りにし、弓状に湾曲した突起を設け、返り軸で隙間をかえしながら、１回転の楕円形状した輪を設け輪の頂点が１回転の楕円形状した輪より少し上の、１／２回転の楕円形状した輪を設け、釣針にかかった魚を１／２回転の楕円形状した輪で押して、針から外すことを特徴とする魚釣り用針外し。
【発明の詳細な説明】
【技術分野】
【０００１】この発明は、魚釣りで魚にのみこまれた針を外す、魚釣り用針外しに関するものである。
【背景技術】
【０００２】従来の針外しは、次のような特徴があった。
釣り針外し具の構造は、金属製の円形の軸と平坦な先端部を持ち、その先端部に形成した針外しの孔と、孔に連通して形成した切り込みを有した器具で、魚を針から外していた。
従来より使われていた魚釣り用針外しの発明が知られている（実用新案文献１）。
【実用新案文献１】
登録実用新案第３１３７７４６号
【発明の開示】
【発明が解決しようとする課題】
【０００３】従来の針外しでは、下記の欠点があった。
（イ）のみこまれた針を簡単に外せない。
（ロ）魚が暴れることにより、ハリスが針外しの孔より外れる。
（ハ）針を外すときに魚を手で握り、手が臭くなる。
（二）初心者では、使いこなせない。
本発明は、以上の欠点を無くす為に行われたものである。
【課題を解決するための手段】
【０００４】魚釣り用針外しの取っ手の中心より、直線状に伸びた軸の先端を二つ折りにし、弓状に湾曲した突起を設け、返り軸で隙間をかえしながら、１回転の楕円形状した輪を設け輪の頂点が１回転の楕円形状した輪より少し上の、１／２回転の楕円形状した輪を設け釣針にかかった魚を１／２回転の楕円形状した輪で押して、針から外すことを特徴とする魚釣り用針外し。
【発明の効果】
【０００５】この魚釣り用針外しの特徴は、下記のごとくである。
（イ）誰での簡単に使える。
（ロ）魚が暴れても１度通したハリスは、輪からはずれない。
（ハ）釣った魚を手で握る必要が無い。
（ニ）魚にのみこまれた針を１度の操作ではずせる。
（ホ）魚の口にかかった針を１度の操作ではずせる。
【発明を実施するための最良の形態】
【０００６】以下、本発明を実施するための最良の形態について説明する。
（イ）取っ手（１）の中心より直線状に伸びた軸（２）の先端を二つ折りにし、弓状に湾曲した突起（３）を設ける。
（ロ）返り軸（４）で隙間（７）をかえし、楕円形状した輪１（５）を設ける。
（ハ）輪１（５）に継続し、１／２回転の楕円形状した輪２（６）を設ける。
（ニ）輪１（５）の頂点より輪２（６）の頂点を少し上に設ける。
本発明は、以上のような構造である。
これを使用するときは、下記の操作手順による。
（イ）釣った魚（１０）を下に、ハリス（９）を上にし、手にハリス（９）を持つ。
（ロ）輪２（６）を左側にし、取っ手（１）を水平に持つ。
（ハ）手に持ったハリス（９）より、下側のハリス（９）を隙間（７）に手前より入れる。
（ニ）針外しを手前に少し引き、左方向に９０度回し、輪２（６）を下に向ける。
（ホ）取っ手（１）を斜め上方に立て、針外しの先端部を下部の魚（１０）の口に入れる。
（ヘ）輪２（６）と輪１（５）は釣針のチモト（１１）と胴（１２）を通過し、輪１（５）が胴（１２）の終りに達した点で、輪２（６）が先曲り（１３）カエシ（１４）を通過する。
（ト）輪１（５）と輪２（６）の頂点が少しずれているため、針外しは釣針の胴（１２）と先曲り（１３）及び、カエシ（１４）上をなめらかにすべり通過する。
（チ）先曲り（１３）の途中に刺さっている魚（１０）のエラ（１５）か口が輪２（６）に押されカエシ（１４）を通り越し、釣針より魚が外れる。
（リ）輪２（６）に魚の外れた釣針が残り、再度魚にかかることがない。
（ヌ）針外しより釣針を手で外す。
本発明は、以上のような操作手順である。
【図面の簡単な説明】
【０００７】
【図１】本発明の平面図である。
【図２】本発明の平面拡大図である。
【図３】本発明の使用状態１を示す傾斜図である。
【図４】本発明の使用状態２を示す傾斜図である。
【図５】本発明の使用状態３を示す傾斜図である。
【図６】本発明の使用状態４を示す傾斜図である。
【図７】本発明の使用状態５を示す側面図である。
【符号の説明】
【０００８】  １    取っ手
２    軸
３    突起
４    返り軸
５    輪１
６    輪２
７    隙間
８    ―――
９    ハリス
１０    魚
１１    チモト
１２    胴
１３    先曲り
１４    カエシ
１５    エラ
【図１】
2009189357.tif 000003
【図２】
2009189357.tif 000004
【図３】
2009189357.tif 000005
【図４】
2009189357.tif 000006
【図５】
2009189357.tif 000007
【図６】
2009189357.tif 000008
【図７】
2009189357.tif 000009
(57)【要約】【課題】カビの発生を抑制でき、飲み口の爽やかな梅果汁の製法を提供する。【解決手段】梅果汁を６０℃〜１００℃で加熱した後或いは、梅果実１Ｋｇに対して糖類７００ｇ〜１Ｋｇを添加して梅果汁を抽出し、この梅果汁を中和した中和梅果汁の製造法。【選択図】なし【特許請求の範囲】
【請求項１】
梅果汁を６０℃〜１００℃にて加熱した後に、アルカリ性化合物を添加して、中和することを特徴とする中和梅果汁の製造法。
【請求項２】
梅果実１Ｋｇに対して、糖類７００ｇ〜１Ｋｇを混入して、２ヶ月〜６ヶ月保持すると梅果汁が得られる、この梅果汁にアルカリ性化合物を添加して、中和することを特徴とする中和梅果汁の製造法。
【発明の詳細な説明】
【技術分野】
【０００１】  本発明は、カビの発生を防止できると共に、酸味が和らげられて、飲み心地を向上させた中和梅果汁の製造に関する。
【背景技術】
【０００２】  完熟直前の青梅を、おろし器、ジュ−サ−のようなスリおろし器を用いスリおろすと、原料となる梅果汁が得られる。この梅果汁について、そのｐＨ値がｐＨ５〜７になるよう、撹拌しながら炭酸水素ナトリュウムを加えると中和梅果汁が得られる。得られたこの梅果汁を６０℃〜１００℃で加熱して濃縮すると、粘性のある中和梅果汁が得られる、ここで得られた梅果汁は、１週間でカビが発生するために、安定的な保持が困難である。【０００３】  また、完熟梅の種を取り除き裏ごしをした梅果肉を梅果汁に混ぜた梅果肉入り梅果汁についても、〔０００２〕と同様な方法で炭酸水素ナトリュウムを混入すると、梅果肉入り中和梅果汁が得られる。このようにして得られた梅果肉入り中和梅果汁も、１週間でカビが発生するために、安定的な保持が困難である。
【発明の開示】
【発明が解決しようとする課題】
【０００４】  上記のようにして得られる中和梅果汁は、保持中にカビが発生し易く、安定的な保持が困難である。
【課題を解決するための手段】
【０００５】  請求項１の発明は、梅果汁を加熱したあとに、中和することを特徴とする中和梅果汁の製造法である。
また、請求項２の発明は、梅果実に糖類を添加して梅果汁を抽出し、この梅果汁を中和することを特徴とする中和梅果汁の製造法である。
【発明の効果】
【０００６】  本発明で得られる梅果汁は、カビの発生が防止されると共に、酸味が和らげられて飲やすさが向上する
【発明を実施するための最良の形態】
【０００７】  請求項１の中和梅果汁の製造をまず説明する。
完熟直前の青梅を、おろし器、ジュ−サ−のようなスリおろし器を用いてスリおろし、原料となる梅果汁を得る。この原料の梅果汁を撹拌しながら加熱して濃縮する。原料の梅果汁を濃縮前の重量に対して２０〜３０重量％になるまで濃縮することが望ましい。【０００８】  ついで濃縮梅果汁をアルカリ性化合物で中和する。アルカリ性化合物としては、炭酸アルカリ金属塩、炭酸水素アルカリ金属塩が好ましく使用される。濃縮梅果汁は弱酸性ないし中性になるように中和することが望ましく、一例をあげるとｐＨ値が５〜７になるように中和する。こうして、発明の中和梅果汁が得られる。なお、原料の梅果汁を先に中和し、ついで加熱濃縮すると、カビの発生を効率的に防止することができない。【０００９】  ついで請求項２の中和梅果汁の製造法を説明する。
完熟直前の青梅１ｋｇを容器に仕込み、これに砂糖のような糖類７００ｇ〜１Ｋｇを添加して、梅果汁が抽出されるまで放置する。放置時間は原料となる梅果実及び添加する糖類の種類及び量によって異なるが、通常は２〜６ヶ月である。抽出された梅果汁を前項と同様にしてアルカリ性化合物で中和して、本発明の梅果汁を得る。【００１０】  原料の梅果汁としては果汁のみを用いることもできるが、梅果肉を含有する原料の梅果肉入り梅果汁を用いると、梅ジャム、梅ジュ−ス、梅ペ−スト、梅ピュ−レを製造することが出来る。
【実施例】
【００１１】  実施例１
完熟直前の青梅をおろし器でスリおろし、おろし梅を濾過した梅果汁を鍋に入れ、弱火で煮立て、よくかき混ぜながら濃縮した。加熱を止めて、ｐＨ値メ−タ−で測定しながらｐＨ値が５〜７になるまで炭酸水素ナトリュウムを濃縮梅果汁に加え、中和して中和梅果汁を得た。中和梅果汁を大気に解放した広口容器に入れ、そのまま２〜３月放置してもカビは発生しなかった。また、この中和梅果汁は酸味がなく、爽やかな飲み心地であった。【００１２】  比較例１
おろし梅を濾過した梅果汁をまず炭酸水素ナトリュウムで中和し、ついで濃縮した以外は実施例１と同様にして中和梅果汁を得た。中和梅果汁を広口容器に入れ大気に解放したところ、１週間でカビの発生が見られた。【００１３】  実施例２
完熟梅の種を取り除いて裏ごしをして得られた、梅果肉が混入した梅果肉入り梅果汁に、同量の水を加えた混合液を使用した以外は、実施例１と同様にして梅ピュ−レを製造した。得られた梅ピュ−レも大気に解放した容器内で２〜３月貯蔵したが、カビの発生はしなかった。【００１４】  実施例３
耐酸容器に完熟直前の青梅１Ｋｇ及びグラニュ糖１Ｋｇを入れて、３月冷暗所に保管し、抽出された粘性のある梅果汁にｐＨ値が５〜７になるまで炭酸水素ナトリュウムで中和した。この中和梅果汁を大気に解放した広口容器に入れ２〜３月放置してもカビは発生しなかった。また、この中和梅果汁は酸味が少なく爽やかなのみ心地であった。
【産業上の利用可能性】
【００１５】  このような製造法で作られた中和梅果汁は、カビが発生せず、また、味についても、酸味が和らげられる。そのため、清涼飲料水、調味料、菓子類、乳製品、その他の食品に添加しても、その食品の持つ本来の味を損なわない。この中和梅果汁は、胸やけなどの、梅を食べた後の不快感を軽減しつつ、エネルギ−代謝を促進する。
(57)【要約】      （修正有）【課題】スーツケース、トランク、バッグなどの携行可能な物品収納容器が重くて人が片手で持てない時、両手で持ちやすい携行可能な物品収納容器を提供する。【解決手段】本発明の収納容器は、正面１Ａと第１の側壁１Ｂと前記第１の側壁１Ｂに交叉した第２の側壁１Cとから本体1を構成し、前記第１の側壁１Ｂに第１の把持具２を設けるとともに第２の側壁１Cに第２の把持具３を設けた携行可能な物品収納容器おいて、第２の把持具３の両隣に第３の把持具４、４を設けた携行可能な物品収納容器である。【選択図】図１
2009189392.tif 000002
【特許請求の範囲】
【請求項１】
正面１Ａと第１の側壁１Ｂと前記第１の側壁１Ｂに交叉した第２の側壁１Cとから本体1を構成し、前記第１の側壁１Ｂに第１の把持具２を設けるとともに第２の側壁１Cに第２の把持具３を設けた携行可能な物品収納容器おいて、第２の把持具３の両隣に第３の把持具４、４を設けたことを特徴とする携行可能な物品収納容器。
【発明の詳細な説明】
【技術分野】
【０００１】
スーツケース、トランク、バッグなどの携行可能な物品収納容器で、持ち方や運び方の選択肢を増やした携行可能な物品収納容器に関する。  
【背景技術】
【０００２】
旅行用トランクを持って路面が平滑でないところを運搬する、または階段を昇降する時には、トランクに付いた車輪は使えず手で持って運搬するが、重いので困難である。
【０００３】
そこで、特許文献１のように、トランクが重い時にトランク締めつけベルトをはずして、トランク締めつけベルトを肩掛けベルトとして使う旅行用トランクが提案されている。
【０００４】
【特許文献１】特開２０００−１０６９３５号公報
【発明の開示】
【発明が解決しようとする課題】
【０００５】
上記特許文献１の提案では、トランク締めつけベルトをはずして肩掛けベルトとして使えるように付け替える手間がかかり、肩に掛けてトランクを運搬したあとも、ベルトをはずしてもと通りにトランクを締めつけておく手間がかかるなどの問題がある。
【０００６】
本発明は、上記問題点を解消し、ベルト不要で把持具を持つだけで、簡便に使いやすくした携行可能な物品収納容器を提供することを目的とする。
【課題を解決するための手段】
【０００７】
本発明の携行可能な収納容器は、正面１Ａと第１の側壁１Ｂと前記第１の側壁１Ｂに交叉した第２の側壁１Cとから本体1を構成し、前記第１の側壁１Ｂに第１の把持具２を設けるとともに第２の側壁１Cに第２の把持具３を設けた携行可能な物品収納容器おいて、第２の把持具３の両隣に第３の把持具４、４を設けたことを特徴とする。
【発明の効果】
【０００８】
本発明は、正面１Ａと第１の側壁１Ｂと前記第１の側壁１Ｂに交叉した第２の側壁１Cとから本体1を構成し、前記第１の側壁１Ｂに第１の把持具２を設けるとともに第２の側壁１Cに第２の把持具３を設けた携行可能な物品収納容器おいて、第２の把持具３の両隣に第３の把持具４、４を設けているので、状況に応じて、両手、もしくは二人で持てて、取り扱い方の選択枝が増え取り扱いが楽になる。また、把持具の数が多いことにより、積み替えなどの時、色々な把持具で取り扱うことになり、把持具破損の確率も低くなる。空港等での飛行機やリムジンバスへの積み替え作業においても、持ち易くなることにより容器破損の減少にもつなげることができる。
【発明を実施するための最良の形態】
【０００９】
本発明の実施例を図面に基づいて以下、説明する。
【００１０】
図１において、携行可能な物品収納容器の本体１は正面１Ａと第１の側壁１Ｂと前記第1の側壁１Ｂと交叉した第２の側壁１Ｃとで構成されており、第２の側壁１Ｃに把持具３を設け、把持具３の両隣に２個の把持具が設けられている。このようにして第２の側壁１Ｃには３個の単独の把持具３、４、４を並べた形となっている。前記把持具３、４、４は、本実施例では握り手の形状を示しているが握り手に代えて手をかけることができる穴やくぼみ、その他把持することが可能な形状物等でも同様の効果を持つ。しかも例えば、万一把持具３が破損した場合でも他の把持具４、４が代用できるなどの効果を奏し、旅先などでは非常に役立つ。第２の側壁１Ｃに３個の把持具３、４、４が並んだ外観は非常に特徴的で分かりやすく、インパクトも強いので、デザインの工夫により、ヘビーデューティ仕様の雰囲気を持たせることもできる。プロ仕様を求める等、物にこだわる人達や、新し物好きの人達、また、ほとんどの人が潜在的に持っている他人と違う物を持ちたいという気持ちに応えることができ、大きな販売促進効果が期待できる。
【００１１】
図２は本発明の携行可能な物品収納容器の使用状態を示す。この携行可能な物品収納容器が、人Ｍが片手で持ち上げられ運搬できる重量の場合、把持具２又は把持具３を使用すれば簡便に運搬可能であるが、重すぎて人Ｍが片手で携行可能な物品収納容器を運搬困難な場合は、人Ｍが把持具４、４を両手で持つ、もしくは一方の把持具４を他の人Ｍの手を利用して持つことで運搬可能になる。また、携行可能な物品収納容器の取り回しにおいても、把持具２又は把持具３のみを使用して行なうよりも、把持具４、４の２個を使用して行なうほうが楽に取り回しできる。このように把持具４、４がある事とない事は大きな違いであり、運搬不可能だったものが可能になるのであって、特に旅行者等にとっては大きな助けになる。
【図面の簡単な説明】
【００１２】
【図１】本発明の実施例を示す斜視図である。
【図２】同上の使用状態図である。
【符号の説明】
【００１３】
１    本体
１Ａ  正面
１Ｂ  第１の側壁
１Ｃ  第２の側壁
２    把持具
３    把持具
４    把持具
Ｍ    人
【図１】
2009189392.tif 000003
【図２】
2009189392.tif 000004
(57)【要約】      （修正有）【課題】フンがスコップから飛び出てしまわず、また分別に時間のかからないペットのトイレ用スコップを提供。【解決手段】フンとトイレ用敷砂とを同時にすくい取り、スコップ本体２に予め設けられている穴８の大きさに応じて該フンと該トイレ用敷砂とを分別し、スコップ本体２にフンのみを残すペットのトイレ用スコップ１において、スコップ本体２の取っ手７部付近に回転軸受け１０を設けたスコップ本体２と、一方スコップ本体２の取っ手７側に来るよう勾配を持たせた端面６付近に回転軸受け１１を設けたフタ３が、スコップ本体２及びフタ３それぞれの回転軸受け１０及び回転軸受け１１を通過する回転軸４を中心に回転出来るよう一体化する。【選択図】図２
2009189349.tif 000002
【特許請求の範囲】
【請求項１】
フンとトイレ用敷砂とを同時にすくい取り、スコップ本体（２）に予め設けられている穴（８）の大きさに応じて該フンと該トイレ用敷砂とを分別し、スコップ本体（２）にフンのみを残すペットのトイレ用スコップ（１）において、スコップ本体（２）の取っ手（７）部付近に回転軸受け（１０）を設けたスコップ本体（２）と、一方スコップ本体（２）の取っ手（７）側に来るよう勾配を持たせた端面（６）付近に回転軸受け（１１）を設けたフタ（３）が、スコップ本体（２）及びフタ（３）それぞれの回転軸受け（１０）及び回転軸受け（１１）を通過する回転軸（４）を中心に回転出来るよう一体化されており、その際にねじりバネ（５）が回転軸（４）の周りに巻きつけられて設けられていることを特徴とするペットのトイレ用スコップ（１）。
【請求項２】
フタ（３）に、フンとトイレ用敷砂とを分別する穴（９）が設けられていることを特徴とする請求項１に記載のペットのトイレ用スコップ（１）。
【発明の詳細な説明】
【技術分野】
【０００１】  本発明は、フタ付のペットのトイレ用スコップに関する。
【背景技術】
【０００２】  従来のペットのトイレ用スコップは、フンとトイレ用敷砂とを分別するための穴が開いている。
これはトイレ用敷砂、いわゆるトイレ砂であるペレット等とフンを一緒にすくい取り、スコップを「ふるい」として、シャカシャカ左右に振り、この穴でペレットだけを通過させ、フンはスコップに残して捨てたり、トイレに流したりするものであった。
【発明の開示】
【発明が解決しようとする課題】
【０００３】  しかし、従来のスコップは、早くフンだけにしようとすると、すくった方向が前後とすれば、スコップを左右の方向に素早く振らねばならず、その際にフンがスコップから飛び出てしまい、再度フンをすくい取っては同じ作業をしなければならないという欠点があった。【０００４】  又、ゆっくりとフンがスコップから飛び出さないように振ると、フンだけにするのにかなりの時間がかかり、フンの始末が大変めんどうなものになるという欠点があった。
【課題を解決するための手段】
【０００５】  上記課題を解決するために本発明は、スコップ本体に回転軸受けを設け、一方では、回転軸受けを設けた別のフタを、それぞれの回転軸受けを通過する回転軸を中心に回転出来るよう一体化されており、その際にねじりバネが回転軸の周りに巻きつけられて設けられているため、ねじりバネの伸び縮みの手段を用いてフンをすくう時にはフタが開き、フンとトイレ用敷砂とを分別のためにスコップを振る際にはフタが閉まる。
本発明は以上のような構成からなるペットのトイレ用スコップである。
【発明の効果】
【０００６】  本発明のペットのトイレ用スコップは、以上のような構成であるため、このねじりバネによって、未使用時にはフタが閉まりスコップ本体の上部にフタがされる事となり、使用時にスコップ本体の取っ手を握り、フタの勾配を持たせた端面を親指などで押す事で、スコップ本体とフタが回転軸を中心に回転し、ねじりバネが縮められてフタが開いて一気にフンとトイレ用敷砂のペレット等を一緒にすくい取ることが出来る。
その後、親指を離すだけでフタがねじりバネの戻り作用より閉まるため、スコップ本体と閉じられたままのフタをどの方向に振っても、フンがスコップ本体から飛び出る事が無く、更には短時間でフンだけがスコップの中に残る優れたものとなる。
【発明を実施するための最良の形態】
【０００７】  本発明におけるペットのトイレ用スコップのスコップ本体やフタの形状、大きさ、デザイン、構造、材質又は製造方法等は特に限定される事はない。
又、スコップ本体やフタの回転軸受けを一体化する方法や回転軸を通す方法等も限定される事は無いが、通常スコップ本体の取っ手部付近とフタの取っ手側に来るように勾配を持たせた端面付近にそれぞれの回転軸受けを設けて回転軸をはめ込んで一体化する事が好ましい。
その際にねじりバネが回転軸の周りに巻きつけられて設けられている事が好ましい。
もちろんこのねじりバネの形状、大きさ、デザイン、構造、材質又は製造方法等も特に限定される事は無い。
【実施例】
【０００８】  以下、本発明の一実施例を、図１、図２及び図３で説明するがこれによって本発明はなんら限定されるものではない。【０００９】  図１は本発明の一例を示した平面図であり、図２は図１の断面図を示す。フンのみが通過出来る大きさの穴（８）が予め設けられたスコップ本体（２）の取っ手（７）に回転軸受け（１０）が設けられている。
一方スコップ本体（２）の取っ手（７）側に来るように勾配を持たせた端面（６）付近にも回転軸受け（１１）を設けたフタ（３）がそれぞれの回転軸受け（１０）及び回転軸受け（１１）を通過する回転軸（４）を中心に回転出来るよう一体化されて成形されている。
その際にねじりバネ（５）が回転軸（４）の周りに巻きつけられて設けられており、このねじりバネ（５）が伸びた状態ではフタ（３）が閉まり、スコップ本体（２）の取っ手（７）を握り、フタ（２）の勾配を持たせた端面（６）を親指で押さえる事で、ねじりバネ（５）が縮んでフタ（３）が開く構造となっている。
図３は、このフタ（３）とスコップ本体（２）の開閉の様子を斜視方向から見たものである。
なお、フタ（３）にもフンが通過する程度の穴（９）を設けているため、フタ（３）が閉じてフンとトイレ用敷砂のペレット等を分別する際に、どの方向に振っても、フンだけが通過出来る優れたものとなっている。
【産業上の利用の可能性】
【００１０】  ねじりバネや回転軸を用いたフタを設けているため、フンとトイレ用敷砂のペレット等を一緒にすくい取った後、素早く、どの方向に振っても、フンがスコップから飛び出る事が無く、更には短時間でフンだけを分別する作業を簡単に行う事が出来る非常に使いやすいペットのトイレ用スコップとなる。
【図面の簡単な説明】
【００１１】
【図１】  本発明の一例を示す平面図である。
【図２】  本発明の一例を示す断面図である。
【図３】  本発明の一例を示す斜視図である。
【符号の説明】
１    ペットのトイレ用スコップ    ２  スコップ本体          ３  フタ
４    回転軸    ５  ねじりバネ    ６  勾配を持たせた端面
７    取っ手    ８  穴            ９  穴
１０  回転軸受け    １１  回転軸受け
【図１】
2009189349.tif 000003
【図２】
2009189349.tif 000004
【図３】
2009189349.tif 000005